【手続補正書】
【提出日】平成24年8月17日(2012.8.17)
【手続補正１】
【補正対象書類名】特許請求の範囲
【補正対象項目名】全文
【補正方法】変更
【補正の内容】
【特許請求の範囲】
【請求項１】
内側大腿骨顆部と内側脛骨プラトーとの間のみまたは外側大腿骨顆部と外側脛骨プラトーとの間のみの間隙中、膝の一側面のみの内部に、単一区画の力センサの力感知部を配置する段階；および
該内側大腿骨顆部または該外側大腿骨顆部が該力センサの該力感知部に及ぼす該膝の該一側面のみにおける力を測定する段階
を含む、手術中の膝の大腿骨遠位端と脛骨近位端の間の空間における、該膝の一側面内の力を一度に測定するための方法。
【請求項２】
単一区画の力センサが手持ち型力センサを含み、間隙中に該力センサの力感知部を配置する段階が、該力センサ上のストップが大腿骨遠位端に対して当接するまで該力感知部を挿入することを含み、該ストップがバックストップまたは、該力感知部よりも厚い該力センサの部分を含む、請求項1記載の方法。
【請求項３】
力感知部を間隙中に配置し、膝が屈曲状態の時に力を測定する、請求項2記載の方法。
【請求項４】
膝を部分伸展まで動かす段階；および
部分伸展状態の膝において大腿骨遠位端の内側部または外側部が力感知部に及ぼす力を測定する段階
をさらに含む、請求項3記載の方法。
【請求項５】
膝を完全伸展まで動かす段階；および
完全伸展状態の膝において大腿骨遠位端の内側部または外側部が力感知部に及ぼす力を測定する段階
をさらに含む、請求項3記載の方法。
【請求項６】
間隙中に力センサの力感知部を配置する段階が、ゲージシムと取り外し可能に結合している該力感知部を挿入することを含む、請求項1記載の方法。
【請求項７】
測定された力を観測する段階；および
測定された力を所望の量提供するサイズを有するゲージシムを選択する段階
をさらに含む、請求項6記載の方法。
【請求項８】
測定された力に基づくデータを処理してユーザーに提供するための使用可能データとする段階；および
該使用可能データを視覚ディスプレイ上に表示する段階
をさらに含む、請求項1記載の方法。
【請求項９】
視覚ディスプレイに結合した有形媒体に使用可能データを記録する段階をさらに含む、請求項8記載の方法。
【請求項１０】
同定された解剖学的な標識、外科的な標識、および外科的な装置からなる群より選択される目標に対して力センサを位置合わせするために、該力センサを間隙中に繰り返し可能な様式で多数回配置する段階
をさらに含む、請求項1記載の方法。
【請求項１１】
間隙の前面より入って該間隙の後面の同一位置で停止する力センサを該間隙中に多数回配置する段階をさらに含む、請求項10記載の方法。
【請求項１２】
大腿骨に対して力センサのストップ部を当接させることで間隙の同一後面で停止させる段階をさらに含み、該ストップ部がバックストップまたは、力感知部よりも厚い該力センサの部分を含む、請求項11記載の方法。
【請求項１３】
力を測定する段階が、
該力センサの力感知部のセンサ素子に電圧を伝達すること；
該センサ素子を通過した後で電圧を測定すること；
該センサ素子に伝達された電圧に対する該センサ素子を通過した電圧の割合を決定すること；および
測定される力を該割合より導出すること
を含む、請求項1記載の方法。
【請求項１４】
単一区画の力センサが手持ち型力センサを含み、力感知部を配置する段階が、膝関節の外部に留まっている該力センサのハンドルを把持しながら該力感知部を挿入することを含み、前記方法が、測定された力を該ハンドル上に位置するディスプレイ上に表示する段階をさらに含む、請求項1記載の方法。
【請求項１５】
手術が人工膝関節単一区画形成術を含む、請求項1記載の方法。
【請求項１６】
膝から力センサを取り外す段階；
該力センサの力感知部を、膝の、最初の配置段階で配置された側面とは反対の側面に挿入する段階；および
該力センサの該力感知部に及ぼされる力を測定する段階
をさらに含む、請求項1記載の方法。
【請求項１７】
以下の段階を含む、手術中の解剖学的関節の一側面における、空間内の力を測定するための方法であって、該解剖学的関節が、第1の端部を有する第1の骨および該第1の骨の該第1の端部に対向する第2の端部を有する第2の骨を含む、方法：
該第1の骨の該第1の端部に人工関節を係合させる段階；
該人工関節の内側部または外側部と該第2の骨の該第2の端部の内側部または外側部との間の間隙における該解剖学的関節の一側面のみの中に単一区画の力センサを配置する段階；
該第1の骨の該第1の端部の内側部または外側部と該第2の骨の該第2の端部の内側部または外側部との間の該解剖学的関節の該一側面において互いに対して及ぼされる力を該力センサの力感知部によって測定する段階；および
該間隙から該力センサを取り外す段階。
【請求項１８】
間隙中に力センサを配置する段階が、第2の骨の第2の端部の内側部または外側部の上に該力センサの遠位部を配置することを含む、請求項17記載の方法。
【請求項１９】
間隙中にゲージシムを配置する段階
をさらに含む、請求項17記載の方法。
【請求項２０】
測定された力に基づくデータを処理して、ユーザーに提供するための使用可能データとする段階；および
該使用可能データを視覚ディスプレイ上に表示する段階
をさらに含む、請求項17記載の方法。
【請求項２１】
視覚ディスプレイに結合した有形媒体に使用可能データを記録する段階をさらに含む、請求項20記載の方法。
【請求項２２】
力を測定する段階が、
力センサの力感知部のセンサ素子に電圧を伝達すること；
該センサ素子を通過した後で電圧を測定すること；
該センサ素子に伝達された電圧に対する該センサ素子を通過した電圧の割合を決定すること；および
測定される力を該割合より導出すること
を含む、請求項17記載の方法。
【請求項２３】
解剖学的関節が膝関節、肘関節、椎間関節、股関節、足首関節および肩関節からなる群より選択される、請求項17記載の方法。
【請求項２４】
部分伸展状態または完全伸展状態の膝において、大腿骨遠位端の内側部と内側脛骨プラトーとの間のみまたは該大腿骨遠位端の外側部と該外側脛骨プラトーとの間のみの間隙中、該膝の一側面のみへと片側力センサの力感知部を配置する段階；および
該大腿骨遠位端の該内側部または該外側部が該力センサの力感知部に及ぼす該膝の該一側面のみにおける力を測定する段階
を含む、手術中の膝の大腿骨遠位端と脛骨近位端の間の空間における、該膝の一側面内の力を一度に測定するための方法。
【請求項２５】
関節から力センサを取り外す段階；
該力センサの力感知部を、該関節の、最初の配置段階で配置された側面とは反対の側面に挿入する段階；および
該力センサの該力感知部に及ぼされる力を測定する段階 
をさらに含む、請求項17記載の方法。
【請求項２６】
膝を屈曲まで動かす段階；および
内側大腿骨顆部または外側大腿骨顆部が力感知部に及ぼす力を測定する段階 
をさらに含む、請求項24記載の方法。
【請求項２７】
膝から力センサを取り外す段階；
該力センサの力感知部を、該膝の、最初の配置段階で配置された側面とは反対の側面に挿入する段階；および
該力センサの該力感知部に及ぼされる力を測定する段階 
をさらに含む、請求項26記載の方法。
【手続補正２】
【補正対象書類名】明細書
【補正対象項目名】００３２
【補正方法】変更
【補正の内容】
【００３２】
そのような力が測定される解剖学的関節は膝関節、肘関節、椎間関節、股関節、足首関節または肩関節であり得る。
[本発明1001]
細長いハウジングとセンサ素子とを含む力センサを含む、解剖学的関節の空間内の力を測定するためのシステムであって、該細長いハウジングが薄い力感知遠位部と近位ハンドル部とを含み、該薄い力感知遠位部が該センサ素子を含む、システム。
[本発明1002]
解剖学的関節が膝であり、該解剖学的関節の空間内の力が該膝に隣接する靭帯により引き起こされる、本発明1001のシステム。
[本発明1003]
解剖学的関節が肘関節、椎間関節、股関節、足首関節および肩関節からなる群より選択される、本発明1001のシステム。
[本発明1004]
細長いハウジングが、薄い遠位部の近位にありかつ近位ハンドル部の遠位にあるストップ部をさらに含む、本発明1001のシステム。
[本発明1005]
センサ素子が力感知部材を含む、本発明1001のシステム。
[本発明1006]
力感知部材が圧電センサ、力感知抵抗器、力感知コンデンサ、ひずみゲージ、ロードセル、圧力センサおよび他の力センサからなる群より選択される、本発明1005のシステム。
[本発明1007]
細長いハウジングの薄い遠位部が幅広い遠位領域と薄い近位領域とを含み、センサ素子の力感知部材が該細長いハウジングの該幅広い遠位領域内に設置される、本発明1005のシステム。
[本発明1008]
センサ素子が、力感知部材の近位に延在する遠位配線部をさらに含む、本発明1007のシステム。
[本発明1009]
感知された力のデータを処理してユーザーに提供するための使用可能データとするために、センサ素子と結合しているプロセッサと; 
該プロセッサと結合しておりかつ該使用可能データを表示するように適合化されている、視覚ディスプレイと
をさらに含む、本発明1001のシステム。
[本発明1010]
視覚ディスプレイが近位ハンドル部に取り付けられている、本発明1009のシステム。
[本発明1011]
表示ディスプレイが複数の異なる着色光を含み、光が、センサ素子に印加される力の個別の漸進的変化に応答して照射され、さらに各照射光が、センサに印加される力の増加に対応している、本発明1009のシステム。
[本発明1012]
視覚ディスプレイが複数の異なる着色光を含み、各光が、センサ素子により検出される異なる所定の力に応答して別々に照射される、本発明1009のシステム。
[本発明1013]
視覚ディスプレイが無線でプロセッサと結合している、本発明1009のシステム。
[本発明1014]
視覚ディスプレイが、赤外線接続、高周波接続、BlueTooth(登録商標)接続、Z-Wave接続およびZigbee(登録商標)接続のうち少なくとも1つを通じて、無線でプロセッサと結合している、本発明1013のシステム。
[本発明1015]
プロセッサおよび視覚ディスプレイのうち少なくとも1つに結合している有形媒体をさらに含み、該有形媒体が測定された力の値を記録するように構成されている、本発明1009のシステム。
[本発明1016]
凹形でありかつ顆部接触区域を有する少なくとも1つのゲージシムをさらに含む、本発明1001のシステム。
[本発明1017]
薄い遠位力感知部の長さが、少なくとも1つのゲージシムの顆部接触区域の長さと一致している、本発明1016のシステム。
[本発明1018]
細長いバーが平坦な第1の側面と該第1の側面に対向するテーパ状の第2の側面とを有する、本発明1016のシステム。
[本発明1019]
平坦な第1の側面が、少なくとも1つのゲージシムと一致するように適合化されている、本発明1018のシステム。
[本発明1020]
テーパ状の第2の側面が、細長いバーの遠位端に向かってテーパ状になっている、本発明1018のシステム。
[本発明1021]
ストップ部が薄い遠位部よりも厚い、本発明1004のシステム。
[本発明1022]
ストップ部が、解剖学的関節中への手持ち型力センサの挿入距離を限定するために薄い部分の遠位端に垂直に取り付けられている、本発明1004のシステム。
[本発明1023]
近位ハンドル部が薄い遠位力感知部よりも厚い、本発明1001のシステム。
[本発明1024]
近位ハンドル部に取り付けられている光源をさらに含み、該光源が、約90度屈曲状態の膝において大腿骨部材と脛骨プラトーとの間の間隙中に力センサを設置する際に大腿骨コンポーネントの顆部中心の正中線を捕捉するために、遠位大腿骨の前部に向かって力感知パッドを横切って可視光の線を放射するように構成されている、本発明1001のシステム。
[本発明1025]
光が、屈曲の際の大腿骨コンポーネントの顆部中心との回転位置合わせを示す、本発明1024のシステム。
[本発明1026]
近位ハンドル部に取り付けられている光源をさらに含み、該光源が、伸展状態の膝において大腿骨部材と脛骨プラトーとの間の間隙中に力センサを設置する際に臀部中心の位置を捕捉するために、臀部に向かって力感知パッドを横切って可視光の線を放射するように構成されている、本発明1001のシステム。
[本発明1027]
光がレーザーである、本発明1024または1026のシステム。
[本発明1028]
細長いハウジングとセンサ素子とを含む、解剖学的関節の空間内の力を測定するための手持ち型装置であって、該細長いハウジングが薄い力感知遠位部と近位ハンドル部とを含み、該薄い力感知遠位部が該センサ素子を含む、手持ち型装置。
[本発明1029]
細長いハウジングが、薄い遠位部の近位にありかつ近位ハンドル部の遠位にあるストップ部をさらに含む、本発明1028の装置。
[本発明1030]
解剖学的関節が膝であり、該解剖学的関節の空間内の力が該膝に隣接する靭帯により引き起こされる、本発明1028の装置。
[本発明1031]
解剖学的関節が肘関節、椎間関節、股関節、足首関節および肩関節からなる群より選択される、本発明1028の装置。
[本発明1032]
センサ素子が力感知部材を含む、本発明1028の装置。
[本発明1033]
力感知部材が、圧電センサ、力感知抵抗器、力感知コンデンサ、ひずみゲージ、ロードセル、圧力センサおよび他の力センサからなる群より選択される、本発明1032の装置。
[本発明1034]
細長いハウジングの薄い遠位部が幅広い遠位領域と薄い近位領域とを含み、力感知部材がセンサ素子を含む、本発明1032の装置。
[本発明1035]
センサ素子が、力感知部材の近位に延在する遠位配線部をさらに含む、本発明1034の装置。
[本発明1036]
感知された力のデータを処理してユーザーに提供するための使用可能データとするために、センサ素子と結合しているプロセッサと; 該プロセッサと結合しておりかつ該使用可能データを表示するように適合化されている、視覚ディスプレイとをさらに含む、本発明1028の装置。
[本発明1037]
センサ素子およびプロセッサと結合している電源をさらに含む、本発明1036の装置。
[本発明1038]
細長いハウジングが、平坦な第1の側面と該第1の側面に対向するテーパ状の第2の側面とを有する、本発明1028の装置。
[本発明1039]
テーパ状の第2の側面が、細長いハウジングの遠位端に向かってテーパ状になっている、本発明1038の装置。
[本発明1040]
ストップ部が薄い遠位力感知部よりも厚い、本発明1028の装置。
[本発明1041]
近位ハンドル部が薄い遠位部よりも厚い、本発明1028の装置。
[本発明1042]
遠位大腿骨と近位脛骨との間の間隙中に力センサを配置する段階；および
膝の靭帯が力センサの力感知部に及ぼす力を測定する段階
を含む、手術中の膝の空間内の力を測定するための方法。
[本発明1043]
遠位大腿骨と近位脛骨との間の間隙中に力センサを配置する段階が、近位脛骨プラトーの上に該力センサの遠位部を配置することを含む、本発明1042の方法。
[本発明1044]
力センサを間隙中に配置し、膝が屈曲状態の時に力を測定する、本発明1043の方法。
[本発明1045]
力センサを間隙中に配置し、膝が部分的に伸展している時に力を測定する、本発明1043の方法。
[本発明1046]
力センサを間隙中に配置し、膝が完全な伸展状態の時に力を測定する、本発明1043の方法。
[本発明1047]
近位脛骨または遠位大腿骨のうち一方から切除された骨により増加した間隙内の力を測定するために、移動可能に力センサに結合しているゲージシムと共に、該力センサを間隙中に配置する段階をさらに含む、本発明1042の方法。
[本発明1048]
移動可能に結合しているゲージシムの厚さと力センサの厚さとの組み合わせが、膝の靭帯が許容される張力に調節されたことを示す力測定値を与える場合に、該膝の該靭帯における自然張力が実現される、本発明1047の方法。
[本発明1049]
測定された力に基づくデータを処理してユーザーに提供するための使用可能データとする段階；および
該使用可能データを視覚ディスプレイ上に表示する段階
をさらに含む、本発明1042の方法。
[本発明1050]
同定された解剖学的もしくは外科的な標識または装置のうち1つに対して力センサを位置合わせするために、該力センサを間隙中に繰り返し可能な様式で多数回配置する段階
をさらに含む、本発明1042の方法。
[本発明1051]
間隙の前面より入って該間隙の後面の同一位置で停止する力センサを該間隙中に多数回配置する段階をさらに含む、本発明1050の方法。
[本発明1052]
同定された解剖学的もしくは外科的な標識または装置のうち1つに対して力センサを当接させることで間隙の同一後面で停止させる段階をさらに含む、本発明1051の方法。
[本発明1053]
間隙の前面より入って該間隙の後面の同一位置で停止する力センサを該間隙中に多数回配置する段階、および解剖学的もしくは外科的な標識または装置のうち1つに対して同一の向きで該力センサを回転可能に位置合わせする段階をさらに含む、本発明1050の方法。
[本発明1054]
力センサ上のまたは該力センサから投射される光の線またはビームを可視化することにより、解剖学的もしくは外科的な標識または装置のうち1つに対して同一の向きで該力センサを回転可能に位置合わせする段階をさらに含む、本発明1053の方法。
[本発明1055]
視覚ディスプレイに結合した有形媒体に使用可能データを記録する段階をさらに含む、本発明1042の方法。
[本発明1056]
膝の靭帯が力センサの力感知部に及ぼす力を測定する段階が、
該力センサの薄い力感知部のセンサ素子に電圧を伝達すること；
該センサ素子を通過した後で電圧を測定すること；
該センサ素子に伝達された電圧に対する該センサ素子を通過した電圧の割合を決定すること；および
測定される力を該割合より導出すること
を含む、本発明1042の方法。
[本発明1057]
以下の段階を含む、手術中の解剖学的関節の空間内の力を測定するための方法であって、該解剖学的関節が、第1の端部を有する第1の骨および該第1の端部に対向する第2の端部を有する第2の骨を含む、方法：
該第1の骨の該第1の端部に人工関節を係合させる段階；
該人工関節と該第2の骨の該第2の端部との間の間隙中に力センサを配置する段階；
該第1の骨の該第1の端部と該第2の骨の該第2の端部との間で互いに対して及ぼされる力を該力センサの力感知部によって測定する段階；および
該間隙から該力センサを取り外す段階。
[本発明1058]
間隙中に力センサを配置する段階が、第2の骨の第2の端部の上に該力センサの遠位部を配置することを含む、本発明1057の方法。
[本発明1059]
間隙中にゲージシムを配置する段階
をさらに含む、本発明1057の方法。
[本発明1060]
測定された力に基づくデータを処理して、ユーザーに提供するための使用可能データとする段階；および
該使用可能データを視覚ディスプレイ上に表示する段階
をさらに含む、本発明1057の方法。
[本発明1061]
視覚ディスプレイに結合した有形媒体に使用可能データを記録する段階をさらに含む、本発明1060の方法。
[本発明1062]
力を測定する段階が、
力センサの力感知部のセンサ素子に電圧を伝達すること；
該センサ素子を通過した後で電圧を測定すること；
該センサ素子に伝達された電圧に対する該センサ素子を通過した電圧の割合を決定すること；および
測定される力を該割合より導出すること
を含む、本発明1057の方法。
[本発明1063]
解剖学的関節が膝関節、肘関節、椎間関節、股関節、足首関節および肩関節からなる群より選択される、本発明1057の方法。